(57)【要約】【課題】利用者が携帯電話のモードを切り替えることを不要にし、特定場所の条件に従って、携帯電話への通話又はメールの通信を制限する。【解決手段】携帯電話通信制御システムは、特定場所に入退場する利用者の携帯電話に付与された固有の端末識別情報を取得し、端末識別情報を送出するノードと、特定場所における携帯電話の通信を規制する条件の情報を記憶する記憶手段及びノードから携帯電話の端末識別情報を受け取った場合、記憶手段から読み出した条件情報と端末識別情報と携帯電話が属するキャリアの情報を含む通信制御情報を作成する処理手段とを有する施設サーバと、施設サーバから携帯電話の通信制御情報を取得して、携帯電話ごとに規制される条件情報に応じて携帯電話の通信を制御するキャリアサーバとを有する。【選択図】  図１
2008277917.tif 000002
【特許請求の範囲】
【請求項１】
携帯電話を所持する利用者が特定場所に入退場する場合における携帯電話の通信を制御する携帯電話制御システムであって、
該特定場所に入退場する利用者の携帯電話に付与された固有の端末識別情報を取得し、該端末識別情報を送出するノードと、
該特定場所における該携帯電話の通信を規制する条件の情報を記憶する記憶手段と、
該ノードから携帯電話の該端末識別情報を受け取った場合、該記憶手段から読み出した該条件情報と、該端末識別情報と、該該携帯電話が属するキャリアの情報を含む通信制御情報を作成する処理手段とを有する施設サーバと、
該施設サーバから携帯電話の該通信制御情報を取得して、該携帯電話ごとに規制される該条件情報に応じて該携帯電話の通信を制御するキャリアサーバと、
を有することを特徴とする携帯電話通信制御システム。
【請求項２】
ネットワークを介して携帯電話のキャリアサーバに接続することができ、携帯電話を所持する利用者が特定場所に入退場する場合における携帯電話の通信を管理する管理サーバであって、
該特定場所に入退場する利用者の携帯電話に付与された固有の端末識別情報を取得する受信手段と、
該特定場所における該携帯電話の通信を規制する条件の情報を記憶する記憶装置と、
該受信手段を介してある携帯電話の該端末識別情報を受信した場合、該記憶装置から得た該条件情報と、該端末識別情報と、該携帯電話が属するキャリアの情報を含む通信制御情報を作成する処理手段と、
該処理手段によって作成された該通信制御情報を、該ネットワークを介して該携帯電話に関連する該キャリアサーバに送信する送信手段と、
を有することを特徴とする管理サーバ。
【請求項３】
前記施設サーバは、特定場所における携帯電話のメール又は通話のＯＮ及びＯＦＦを規制するモードを設定し、設定された該モードを前記条件情報に含めて管理し、
前記キャリアサーバは、受け取った携帯電話の該通信制御情報に含まれる該モードに応じて該携帯電話に対する通信を管理して制御することを特徴とする請求項１又は２の携帯電話通信制御システム又は管理サーバ。
【請求項４】
前記施設サーバは、該ノードに対して決められた開始時刻及び終了時刻を含む時間帯を設定し、設定された時間帯を前記条件情報に含めて管理し、
前記キャリアサーバは、受け取った携帯電話の該通信制御情報に含まれる該時間帯に応じて該携帯電話に対する通信を管理して制御することを特徴とする請求項１又は２の携帯電話通信制御システム又は管理サーバ。
【請求項５】
前記ノードは、複数の異なる特定場所に対応してそれぞれ設置され、各ノードは固有のノードＩＤが付与されて、かつ該携帯電話から取得した該端末識別情報及び自ノードの該ノードＩＤを前記施設サーバに対して送出し、
前記施設サーバは、受信した携帯電話の該端末識別情報及び前記条件情報及び前記キャリアの情報を、該ノードＩＤに対応付けて管理することを特徴とする請求項１乃至４のいずれかの携帯電話通信制御システム又は管理サーバ。
【請求項６】
携帯電話を所持する利用者が特定場所に入退場する場合における携帯電話の通信を制御する携帯電話制御方法であって、
該特定場所に設置されたノードによって、該特定場所に入退場する利用者の携帯電話に付与された固有の端末識別情報を取得し、該端末識別情報を送出するステップと、
該特定場所における該携帯電話の通信を規制する条件の情報を予め記憶手段に記憶するステップと、
該ノードから携帯電話の該端末識別情報を受け取った場合、施設サーバの処理によって、該記憶手段から読み出した該条件情報と、該端末識別情報と、該該携帯電話が属するキャリアの情報を含む通信制御情報を作成する処理ステップと、
携帯電話のキャリアが有するキャリアサーバの処理であって、該施設サーバから携帯電話の該通信制御情報を取得して、該携帯電話ごとに規制される該条件情報に応じて該携帯電話の通信を制御するステップと、を有することを特徴とする携帯電話制御方法。
【発明の詳細な説明】
【技術分野】
【０００１】
本発明は携帯電話通信制御システム及び制御方法に係り、特に映画館等の特定場所で携帯電話の通信モードを切り替える必要である場合、モード切り替え処理をコンピュータの制御により自動的に行う携帯電話通信制御システム及び制御方法、及び特定場所用の管理サーバに関する。
【背景技術】
【０００２】
携帯電話の使用のマナーを守ることが大切である。例えば、病院や飛行機内で携帯電話の電源ＯＦＦにすることや、映画館やコンサートホール内で携帯電話の着信音や通話を控えることは、他人に迷惑をかけないこと及びその場の雰囲気を壊さない上で重要である。
しかし、現状の携帯電話は、携帯電話所持者（以下単に所持者という）が手動でモードを切り替える形式であるため、モードを切り替え忘れる人や、使用すべきでない場所でもマナーを無視して通話する人もいる。
【０００３】
このような課題に対処すべく、特定の場所で携帯電話の使用を規制するための様々な提案がなされている。特許文献１（特開２００５−１９１９４５号公報）に開示された技術は、携帯電話が電車や映画館に設置された装置から送信される電波を受信し、携帯電話内部でモードを強制的に切り替える。その後、携帯電話はモード切り替え情報を位置情報管理装置に送信することで、所持者が施設に入場したことを認識する。モードを切り替えた携帯電話へ発信した携帯電話は、位置情報管理装置から現在通信できないことを連絡する。施設から退場する時に、携帯電話は、もう一度位置情報管理装置から電波を受信し、モード切り替え情報を位置情報管理装置に送信する。送信後、位置情報管理装置は通信規制を解除する。
【０００４】
また、特許文献２（特開２０００−１６５９５７号公報）に開示された技術は、携帯電話の使用を制限すべき所定のエリアに２つの装置を設置し、各々の装置から送信される電波を携帯電話が受信する順序に基づいて、携帯電話の状態を通話可能または通話不可能な状態に切り替える。
【０００５】
【特許文献１】特開２００５−１９１９４５号公報
【特許文献２】特開２０００−１６５９５７号公報
【発明の開示】
【発明が解決しようとする課題】
【０００６】
然るに、上記従来技術によれば、携帯電話が位置情報管理装置から電波を受け取り、モード切り替えることから、携帯電話内部にモードを切り替える装置が必要である。また、施設の入場口からモード切り替えを行っているため、本来切り替えが必要でない時間(例えば映画館に入場してから、実際に映画が始まるまでの待ち時間の間)まで通信制御をしている。更に、所持者が施設から退場した時に、モードを切り替えていた時間内における連絡の有無がわからない。
【０００７】
本発明の目的は、上記従来技術の課題を解決することにあり、特定場所における携帯電話の通信を規制することにある。
また、利用者が携帯電話のモードを切り替えることを不要にし、特定場所の条件に従って、携帯電話への通話又はメールの通信を制限することにある。
【課題を解決するための手段】
【０００８】
本発明に係る携帯電話制御システムは、好ましくは、携帯電話を所持する利用者が特定場所に入退場する場合における携帯電話の通信を制御する携帯電話制御システムであって、特定場所に入退場する利用者の携帯電話に付与された固有の端末識別情報を取得し、端末識別情報を送出するノードと、特定場所における携帯電話の通信を規制する条件の情報を記憶する記憶手段と、ノードから携帯電話の端末識別情報を受け取った場合、記憶手段から読み出した条件情報と、端末識別情報と、携帯電話が属するキャリアの情報を含む通信制御情報を作成する処理手段とを有する施設サーバと、施設サーバから携帯電話の通信制御情報を取得して、携帯電話ごとに規制される条件情報に応じて携帯電話の通信を制御するキャリアサーバと、を有することを特徴とする携帯電話通信制御システムとして構成される。
【０００９】
また、本発明に係る施設サーバは、好ましくは、ネットワークを介して携帯電話のキャリアサーバに接続することができ、携帯電話を所持する利用者が特定場所に入退場する場合における携帯電話の通信を管理する管理サーバであって、特定場所に入退場する利用者の携帯電話に付与された固有の端末識別情報を取得する受信手段と、特定場所における携帯電話の通信を規制する条件の情報を記憶する記憶装置と、受信手段を介してある携帯電話の端末識別情報を受信した場合、記憶装置から得た条件情報と、端末識別情報と、携帯電話が属するキャリアの情報を含む通信制御情報を作成する処理手段と、処理手段によって作成された通信制御情報を、ネットワークを介して携帯電話に関連するキャリアサーバに送信する送信手段と、を有することを特徴とする管理サーバとして構成される。
【００１０】
好ましい例によれば、前記施設サーバは、特定場所における携帯電話のメール又は通話のＯＮ及びＯＦＦを規制するモードを設定し、設定されたモードを前記条件情報に含めて管理し、前記キャリアサーバは、受け取った携帯電話の通信制御情報に含まれるモードに応じて携帯電話に対する通信を管理して制御する。
また、好ましくは、前記施設サーバは、ノードに対して決められた開始時刻及び終了時刻を含む時間帯を設定し、設定された時間帯を前記条件情報に含めて管理し、
前記キャリアサーバは、受け取った携帯電話の通信制御情報に含まれる時間帯に応じて携帯電話に対する通信を管理して制御する。
また、好ましくは、前記ノードは、複数の異なる特定場所に対応してそれぞれ設置され、各ノードは固有のノードＩＤが付与されて、かつ携帯電話から取得した端末識別情報及び自ノードのノードＩＤを前記施設サーバに対して送出し、前記施設サーバは、受信した携帯電話の端末識別情報及び前記条件情報及び前記キャリアの情報を、ノードＩＤに対応付けて管理する。
【００１１】
本発明に係る制御方法は、好ましくは、携帯電話を所持する利用者が特定場所に入退場する場合における携帯電話の通信を制御する携帯電話制御方法であって、
特定場所に設置されたノードによって、特定場所に入退場する利用者の携帯電話に付与された固有の端末識別情報を取得し、端末識別情報を送出するステップと、特定場所における携帯電話の通信を規制する条件の情報を予め記憶手段に記憶するステップと、ノードから携帯電話の端末識別情報を受け取った場合、施設サーバの処理によって、記憶手段から読み出した条件情報と、端末識別情報と、携帯電話が属するキャリアの情報を含む通信制御情報を作成する処理ステップと、携帯電話のキャリアが有するキャリアサーバの処理であって、施設サーバから携帯電話の通信制御情報を取得して、携帯電話ごとに規制される条件情報に応じて携帯電話の通信を制御するステップと、を有することを特徴とする携帯電話制御方法として構成される。
【発明の効果】
【００１２】
本発明によれば、特定場所における携帯電話の通信を規制することができる。また、利用者が携帯電話内部にモードを切り替えることを不要にし、特定場所の条件に従って、携帯電話への通話又はメールの通信を制限することができる。
より具体的には、携帯電話の所持者が特定の場所に入場したとき、必要な時間のみ通信制御して携帯電話をモード切り替え、所持者がその場から退場したときには特定の通信モードを解除して、携帯電話に対する通信を再開することができる。
【発明を実施するための最良の形態】
【００１３】
[実施例１]
以下、図面を参照して、映画館に適用した場合の一実施例について説明する。
この例で、特定場所である映画館（施設Ａ）には、通信制御が必要となるエリアの単位であるシアターがあり、シアターで映画を上映した後は、入場者の全員が退場するものとする。
【００１４】
図１は一実施例による携帯電話通信制御システムの構成を示す図である。
携帯電話通信制御システムは、携帯電話のキャリアサーバ１０４がネットワーク１４０を介して基地局１３０、１３１と接続し、更に特定場所である施設Ａ及びＢに設置された施設サーバ１０１，１０２に接続して、構成される。なお、複数の携帯電話通信会社に対応してそれぞれのキャリアサーバ１０４が接続されることになるが、図１には、あるキャリアの通信会社のキャリアサーバ１０４が示されている。
【００１５】
施設Ａ（映画館）１５０には、シアターＡ，Ｂの出入り口にノードＡ１２０とノードＢ１２１が設置され、これらのノード１２０，１２１は施設サーバ１０１と接続している。また、施設Ｂ１５１には、シアターの出入り口にノードＣ１２２が配置され、そのノードＣ１２２は施設サーバ１０２と接続している。施設サーバ１０１，１０２は当該施設における携帯電話の通信を規制するための条件を管理すると共に、規制のための管理情報を作成してキャリアサーバ１０４へ送信する機能を有する。尚、施設サーバ１０１，１０２の機能及び処理動作については、詳しく後述する。
【００１６】
このようなシステムにおいて、通常状態では、外部の携帯電話Ｃ１１２と施設Ａ１５０又はＢ１５１内の携帯電話１６０，１６１と間で、基地局及びキャリアサーバ１０４を介して、通話やメールの通信が可能である。また、通常状態では、施設Ａ１５０内の携帯電話１６０と１６１の間でも通信が可能である。例えば、携帯電話Ｃ１１２が他の携帯電話と通信する場合、基地局Ａ１３０を介してキャリアサーバ１０４へ通話要求を依頼する。同様に、携帯電話Ａ１１０と携帯電話Ｂ１１１が他の携帯電話と通信する場合、基地局Ａ１３０を介してキャリアサーバ１０４へ通話要求を依頼する。
尚、ここで、ネットワーク１４０はインターネット、公衆通信網等であってよく、また施設サーバＡ１０１は無線ＬＡＮ等でノードＡ１２０と接続してもよい。
【００１７】
本実施例の特徴の１つとして、携帯電話１１０，１１１はＲＦＩＤを備え、各ＲＦＩＤには、当該携帯電話に固有の端末ＩＤ１７０１及び当該携帯電話が属するキャリアの情報１７０２が予め記憶させている。施設サーバＡ１０１は、ノード１２０，１２１を介して携帯電話のＲＦＩＤタグからの情報を取得して、後述する送信識別情報１９００（図１９）を得る。すなわち、ノードＡ１２０又は１２１は、無線通信等の手段によって、携帯電話Ａ１１０のＲＦＩＤタグから送信識別情報１９００を読み取り、その読み取った送信識別情報１９００を施設サーバ１０１へ転送する。
尚、ＲＦＩＤタグでなくても、施設サーバＡ１０１が近距離無線通信を用いて端末ＩＤ１７０１とキャリア情報１７０２を取得できるものであれば、他の手段でも良い。
【００１８】
図２は施設サーバのハードウェアの構成を示す。
施設サーバＡ１０１，及びＢ１０２は同様の構成であるので、以下の説明では、施設サーバＡ１０１についてその構成を説明する。
施設サーバＡ１０１は、サーバ計算機又はＰＣであり、ＣＰＵ２０１、通信部２０２、モニタ２０３、キーボード２０４、マウス２０５、主記憶装置２１０、及び外部記憶装置２２０を有する。主記憶装置２１０は、制御設定テーブル作成処理２１１、キャリア別送信テーブル処理２１２、制御端末情報削除処理２１３を実行するためのプログラムを格納する。ＣＰＵ２０１はこれらの処理２１１、２１２、２１３のプログラムを実行する。
【００１９】
外部記憶装置２２０は、制御設定テーブル２２２、キャリア別送信テーブル２２３を格納する。なお、これらテーブルの構成については後で詳述する。上記各処理２１１、２１２、２１３では、制御設定テーブル２２２及びキャリア別送信テーブル２２３を参照する。
【００２０】
制御設定テーブル２２２は、施設Ａにおける通信の規制の条件を設定するものであり、図２０を参照して後で詳述するが、時間帯２００８とモード設定２００３を設定する他、例えば、開始時刻２００１と終了時刻２００２の間、どの携帯電話をどのように通信制御をするかの条件を設定する。制御設定テーブル２２２は携帯電話が施設に入場したかを管理し、このテーブル２２２に設定された制御設定情報に基づいて携帯電話の通信制御情報が作成される。
なお、制御設定テーブル２２２への条件の設定は、施設サーバＡ１０１のモニタ２０３とキーボード２０４とマウス２０５を使用して行う。
【００２１】
キャリア別送信テーブル２２３は、携帯電話の管理情報をキャリア別に振り分けて記憶するテーブルである。施設サーバＡ１０１のＣＰＵ２０１は、制御設定テーブル２２２の情報からキャリア情報１７０２を作成する。キャリア別送信テーブル２２３の情報は、携帯電話の着信を制御するための携帯電話通信制御情報となる。
なお、図２では、外部記憶装置２２０は施設サーバＡ１０１内にあるが、他の例では、施設サーバＡ１０１の外部に接続されてもよい。また、通信部２０２はノードＡ１２０、Ｂ１２１、及びネットワーク１４０と、有線ＬＡＮで直接接続してもよいし、無線ＬＡＮ等によって接続してもよい。
【００２２】
次に、図２０を参照して、制御設定テーブル２２２の構成例について説明する。
制御設定テーブル２２２は、開始時刻２００１、終了時刻２００２、モード設定２００３、メールモード２００４、電話モード２００５、制御端末情報２００６、時間帯２００８、時間帯Ａ２００９、ノードＩＤ２０１０と、制御端末情報２００６の中にノードＩＤ２０１０、端末ＩＤ２０１１、キャリア情報２０１２、送信フラグ２００７を登録する。
【００２３】
ノードＩＤ２０１０は、施設サーバＡ１０１に接続されているノードのノードＩＤ１８００を格納する。開始時刻２００１には、各ノードＩＤ２０１０に対応するシアターに、予め設定した映画の開始時刻を格納する。終了時刻２００２は予め設定した映画の終了時刻を格納する。時間帯Ａ２００９は、開始時刻２００１と終了時刻２００２の組み合わせを指しており、時間帯２００８は時間帯Ａ２００９を含めた全ての時間帯の組み合わせを指す。携帯電話のメール着信の可否を決定するメールモード２００４は予めＯＮもしくはＯＦＦを設定し、格納する。
【００２４】
本実施例では、制御設定テーブル２２２のノードＩＤ２０１０が「００１」ではメールモード２００４をＯＦＦ、ノードＩＤ２０１０が「００２」ではメールモード２００４をＯＮとする。携帯電話の通話の可否を決定する電話モード２００５は予めＯＮもしくはＯＦＦを設定し、格納する。本実施例ではノードＩＤ２０１０が「００１」「００２」共に電話モード２００５をＯＦＦとする。モード設定２００３はメールモード２００４と電話モード２００５の両方を指す。制御端末情報２００６はステップ９０３で追加した端末ＩＤ１７０１とキャリア情報１７０２、ノードＩＤ１８００と、施設サーバＡ１０１がキャリア別送信テーブル２２３の制御端末情報２００６の端末ＩＤ２０１１をキャリアサーバ１０４へ送信済みかどうかを判断する送信フラグ２００７から成る。
【００２５】
なお、本実施例では、端末識別情報１７００が端末ＩＤ１７０１とキャリア情報１７０２を有するとして説明したが、キャリア情報１７０２は無くとも良い。その場合、予め端末ＩＤ１７０１毎にキャリアを対応付けるテーブルを施設サーバＡ１０１の外部記憶装置２２０に格納しておき、ノードから受信した送信識別情報１９００の端末ＩＤ１９０３をキーとして、テーブルからキャリア情報１９０４を読み出せばよい。
【００２６】
次に、図２１を参照して、キャリア別送信テーブル２２３の構成例について説明する。
キャリア別送信テーブル２２３は、キャリア情報２１０１、依頼メッセージ２１０３、上映時間２１０２、開始時刻２１０５、終了時刻２１０６、モード設定２１１０、メールモード２１０７、電話モード２１０８、制御端末情報２１０４、端末ＩＤ２１０９を登録する。このキャリア別送信テーブル２２３がキャリア別に作成されて、施設サーバＡ１０１から関係するキャリアサーバ１０４へ送信される。
ここで、キャリア別送信テーブル２２３に登録されている依頼メッセージ２１０３は、キャリアサーバ１０４が通信を許容するか又は通信を解除する処理であることを判断させるメッセージである。
【００２７】
キャリアサーバ１０４の処理として、通信規制テーブル作成処理３１１と途中退場端末解除処理３１４があり（図３参照）、その何れの処理をさせるかを判定する必要がある。そこで、依頼メッセージ２１０３に「１」が格納されている場合には通信規制テーブル作成処理３１１を行い、依頼メッセージ２１０３に「０」が格納されている場合には途中退場端末解除処理３１４を行うように、キャリアサーバ１０４は該当する処理を実行する。
なお、依頼メッセージ２１０３によらず、他の手段によってキャリアサーバ１０４が上記２つの処理の選択判断をするようにしてもよい。
【００２８】
次に、図３を参照して、キャリアサーバ１０４のハードウェアの構成について説明する。
キャリアサーバ１０４は、サーバ計算機又はＰＣであり、ＣＰＵ３０１、通信部３０２、モニタ３０３、キーボード３０４、マウス３０５、主記憶装置３１０、外部記憶装置３２０を有して構成される。主記憶装置３１０は、通信規制テーブル作成処理３１１、受信伝達処理３１２、端末制御解除処理３１３、及び途中退場端末解除処理３１４を実行するためのプログラムを格納する。ＣＰＵ３０１はこれらの処理３１１、３１２、３１３、３１４のプログラムを実行する。外部記憶装置３２０は、端末情報テーブル３２１、通信規制テーブル３２２、着信記録テーブル３２３、途中退場端末解除テーブル３２４を格納する。なお、これらテーブルの構成については後で詳述する。各処理３１１、３１２、３１３、３１４では各テーブル３２１、３２２、３２３、３２４が参照される。
なお、図３において、キャリアサーバ１０４は外部記憶装置３２０をキャリアサーバ１０４の内部に接続しているが、キャリアサーバ１０４の外部に接続してもよい。また、通信部３０２とネットワーク１４０との接続に関して、直接有線ＬＡＮを用いてもよいし、無線ＬＡＮを用いてもよい。
【００２９】
ここで、図２２〜２５を参照して、端末情報テーブル３２１、通信規制テーブル３２２、着信記録テーブル３２３、途中退場端末解除テーブル３２４のデータ構成例について説明する。
図２２は、端末情報テーブル３２１のデータ構成を示す。
端末情報テーブル３２１は、端末ＩＤ２２０２、電話番号２２００、メールアドレス２２０１を格納する。電話番号２２００は携帯電話に付される番号であり、キャリアサーバＡ１０４は端末ＩＤ２２０２から電話番号２２００を検索する。メールアドレス２２０１は携帯電話のメールの宛先であり、キャリアサーバＡ１０４は端末ＩＤ２２０２からメールアドレス２２０１を検索する。
【００３０】
図２３は通信規制テーブル３２２のデータ構成例を示す。
通信規制テーブル３２２は、端末ＩＤ２３００、電話番号２３０１、メールアドレス２３０２、メールモード２３０３、電話モード２３０４、開始時刻２３０５、終了時刻２３０６を格納する。
【００３１】
図２４は着信記録テーブル３２３のデータ構成例を示す。
着信記録テーブル３２３は、着信電話番号２４００、発信電話番号２４０１、着信時刻２４０２、着信情報２４０３を格納する。携帯電話Ａ１１０の電話番号である発信電話番号２４０１はキャリアサーバＡ１０１が通信制御をしている携帯電話の電話番号である。キャリアサーバＡ１０４は、携帯電話Ｃ１１２の電話番号を携帯電話Ａ１１０の電話番号に該当する発信電話番号２４０１の着信情報２４０３の着信電話番号２４００に着信のあった電話番号を記録する。着信時刻２４０２は発信電話番号２４０１に対して着信電話番号２４００に着信した時刻である。着信情報２４０３は着信電話番号２４００と着信時刻２４０２を含んだ情報を指す。
【００３２】
図２５は途中退場端末解除テーブル３２４のデータ構成例を示す。
途中退場端末解除テーブル３２４は、依頼メッセージ２５００、キャリア情報２５０１、端末ＩＤ２５０２を格納する。
【００３３】
次に、図４を参照して、ノードのハードウェア構成について説明する。
例えば、ノードＡ１２０は、近距離無線通信部４０１、ＣＰＵ４０３、当該ノードを識別するノード番号をノード番号格納部４０４、送信識別情報送信部４０５、主記憶装置４０６を有する。主記憶装置４０６は携帯電話検知処理４０２のためのプログラムを格納し、ＣＰＵ４０３はそのプログラムを実行する。
ノードＡ１２０は近距離無線通信部４０１によって、携帯電話Ａ１１０のＲＦＩＤタグに格納されている端末識別情報を受信する。この例では、端末識別情報は端末ＩＤ１７０１とキャリア情報１７０２が組となっている端末識別情報１７００として説明される。
【００３４】
ここで、図１７を参照して、携帯電話Ａ１１０の端末識別情報１７００と携帯電話Ｂ１１１の端末識別情報１７０３のデータ構成例について説明する。データ構成はいずれの携帯電話とも同じである。
例えば、携帯電話Ａ１１０の端末識別情報１７００は、端末ＩＤ１７０１とキャリヤ情報１７０２で構成される。端末ＩＤ１７０１は携帯電話を一意に識別する番号もしくは文字を格納する。キャリア情報１７０２は携帯電話の通信会社を一意に識別する番号もしくは文字を格納する。端末識別情報１7０３は端末識別情報１７００と同じ構成である。本実施例では携帯電話Ａ１１０の端末ＩＤ１７０１を「１２３４」、携帯電話Ｂ１１１の端末ＩＤ１７０１を「５６７８」とする。携帯電話Ａ１１０と携帯電話Ｂ１１１のキャリア情報１７０２を「ｘｘｘ．ｃｏ．ｊｐ」とする。
【００３５】
図１８は、ノードのノード識別情報のデータ構成例を示す。
ノードＡ１２０のノード識別情報１８０１及びノードＢ１２１のノード識別情報１８０２ともデータ構成は同じである。例えば、ノード識別情報１８０１はノードＩＤ１８００から構成される。ノードＩＤ１８００は施設内に設置してあり、ノードを一意に識別する番号もしくは文字である。本実施例ではノードＡ１２０のノードＩＤ１８００が「００１」、ノードＢ１２１のノードＩＤ１８００が「００２」とする。
【００３６】
図１９は、ノードから施設サーバへ送信される送信識別情報のデータ構成を示す。ノードＡ１２０及びノードＢ１２１の何れから送信される送信識別情報１９００、１９０１とも同じ構成である。例えば、送信識別情報１９００は、ノードＩＤ１９０２と、端末ＩＤ１９０３と、キャリア情報１９０４から構成される。
【００３７】
図５は、施設Ａのシアターへの入退場パターンを示す。
所持者の入退場パターンと携帯電話を通信制御する時間帯の関係を示し、所持者が施設に入場した際に、何れのタイミングで通信制御するかを示している。所持者の入退場のパターンは１回の上映に対して総入替を前提としているため、Ａ〜Ｅの５パターンが考えられる。
図５において、５００は時間軸、５０１は上映開始時刻、５０２は上映終了時刻、５０４は上映前、５０５は上映中、５０６は上映後を示す。５０３の部分は、５０５の上映中の時間を示す。
【００３８】
パターンＡは、上映前５０４に入場５１０し、上映後５０６に退場５１３する。シアター内の滞在時間を小矢印xaで表し、大矢印ＹＡは携帯電話の通信を制御する時間帯（通信制御時間帯）を表す。パターンＡの場合、キャリアサーバ１０４は携帯電話Ａ１１０を上映中５０５の間（即ち上映開始時刻５０１から上映終了時刻５０２迄）、通信制御する。
パターンＢは、上映中５０５に入場５２０し、上映後５０６に退場５２３する。シアター内の滞在時間を小矢印xbで表し、大矢印ＹＢは携帯電話の通信制御時間帯を表す。パターンＢの場合、キャリアサーバ１０４は携帯電話Ａ１１０を入場５２０から上映終了時刻５０２まで通信制御する。
パターンＣは、上映前５０４に入場５３０及び退場５３２をする。シアター内の滞在時間を小矢印xcで表す。パターンＣの場合、映画の上映が開始していないため、携帯電話の通信制御する必要がないので、キャリアサーバ１０４は携帯電話Ａ１１０の通信を制御しない。
【００３９】
パターンＤは、上映前５０４に入場５４０し、上映中５０５に退場５４３する。シアター内の滞在時間を小矢印xdで表し、大矢印ＹＤは携帯電話の通信制御時間帯を表す。パターンＤ５４５の場合、キャリアサーバ１０４は携帯電話Ａ１１０を上映開始時刻５０１から退場５４３まで通信制御する。
パターンＥは、上映中５０５に入場５５０及び退場５５２する。シアター内の滞在時間及び携帯電話の通信制御時間帯を大矢印ＹＥで表す。パターンＥの場合、キャリアサーバ１０４は携帯電話Ａ１１０を入場５５０から退場５５２までの間、通信制御する。
【００４０】
図６は、通信制御システムにおける携帯電話の通信制御の基本的な処理手順の概要を示す。
（１）ノードＡ１２０は、シアターの出入り口を通過した所持者の携帯電話Ａ１１０の端末識別情報１７００から送信識別情報１９００を作成し、施設サーバＡ１０１へ送信識別情報１９００を送信する(ステップ４０２)。
（２）出入り口を通過した所持者の入退場を判断するため、施設サーバＡ１０１のＣＰＵ２１０は、制御設定テーブル２２２内の制御端末情報２００６に格納されている端末ＩＤ２０１１と、施設サーバＡ１０１がノードＡ１２０から受信した端末ＩＤ１９０３を比較して、合致するかを判断する。比較の結果合致した場合、所持者は既に入場していると判断するため、後述するステップ６０２に移行する。一方、合致しなかった場合には、後述するステップ６０３に移行する(ステップ６０１)。
【００４１】
（３）ステップ６０１の判断で端末ＩＤ２０１１が合致した場合、２回目の検知であるため、退場処理と判断する。それに伴い、通信制御をしていた携帯電話の通信制御解除処理をする(ステップ６０２)。
（４）ステップ６０１の判断で端末ＩＤ２０１１が合致しなかった場合、施設サーバＡ１０１のＣＰＤ２１０は、携帯電話Ａ１１０が１回目の検知であるため、携帯電話Ａ１１０に対して携帯電話の通信を制御する処理に移行する(ステップ６０３)。
【００４２】
図７は、ノードＡ１２０における携帯電話の検知処理４０２を示す。
この処理は、所持者が施設ＡのシアターＡのノードＡ１２０が設置された出入り口を通過する時に行われる。携帯電話検知処理４０２はノードＡ１２０が端末識別情報１７００を読み取り、施設サーバＡ１０１に対して送信識別情報１９００を送信するための処理である。
【００４３】
（１）ノードＡ１２０は、携帯電話Ａ１１０の端末ＩＤ１７０１とキャリア情報１７０２を、近距離無線通信部４０１によって近距離無線通信で受信し、端末識別情報１７００を取得する（ステップ７０１）。
（２）ノードＡ１２０のＣＰＵ４０３は、ステップ７０１で取得した端末識別情報１７００とノードＡ１２０が所持しているノードＩＤ１８００から送信識別情報１９００を作成し、送信識別情報送信部４０５を介して施設サーバＡ１０１へ送信する（ステップ７０２）。
（３）最後にＣＰＵ４０３は、ステップ７０２で作成した送信識別情報１９００を削除する（ステップ７０３）。
【００４４】
図８は、シアターの入場処理６０２の処理動作を示す。
この処理は所持者が施設に入場し、上映終了時刻までシアターの中にいる場合に行われる。
入場処理６０２は、ステップ６０１で所持者が入場した後の処理である。入場処理６０２は、施設サーバＡ１０１が入場した携帯電話を管理し、施設サーバＡ１０１からキャリアサーバ１０４へ、制御する携帯の情報を送信し、キャリアサーバ１０４は携帯電話Ａ１１０の通信を制御する処理動作である。より詳しく言えば、
（１）施設サーバＡ１０１は、ノードＡ１２０から送信識別情報１９００に含まれているノードＩＤ１９０２と端末ＩＤ１９０３とキャリア情報１９０４を受信する。その後、施設サーバＡ１０１のＣＰＵ２０１は、制御設定テーブル２２２に含まれているノードＩＤ２０１０と、受信したノードＩＤ１９０２が合致する制御端末情報２００６の端末ＩＤ２０１１とキャリア情報２０１２に、受信した端末ＩＤ１９０３とキャリア情報１９０４を追加する処理を行う。そして施設サーバＡ１０１は携帯電話の通信を制御する時間帯２００８から１つ選び、一時的に保存する（ステップ２１１）。
【００４５】
（２）施設サーバＡ１０１のＣＰＵ２１０は、制御設定テーブル２２２からステップ２１１で選んだ携帯電話の通信を制御する時間帯２００８とモード設定２００３と制御端末情報２００６を取り出し、制御端末情報２００６に含まれているキャリア情報２０１２毎に並び替えたキャリア別送信テーブル２２３を作成する。そして、作成されたキャリア別送信テーブル２２３をキャリア情報２０１２に対応するキャリアサーバ１０４へ送信する（ステップ２１２）。なお、モード設定２００３は、どのように携帯電話の通信を制御するかを決定するモードを示す。
（３）キャリアサーバ１０４は、施設サーバＡ１０１から送信されたキャリア別送信テーブル２２３を受信し、ＣＰＵ３０１は、そのテーブル２２３を、通信制御する携帯電話の情報を登録している通信規制テーブル３２２に追加する（ステップ３１１）。
【００４６】
（４）そしてＣＰＵ３０１は、携帯電話Ｃ１１２からの通話要求時に通信規制テーブル３２２を参照することで通信を制御するか判断し、通信を制御する場合には着信記録を取り、携帯電話Ｃ１１２に対して連絡する処理を行う（ステップ３１２）。
（５）更に、ＣＰＵ３０１は、通信規制テーブル３２２の終了時刻２３０６と現在の時刻を比較し、現在の時刻が終了時刻２３０６を過ぎている場合には通信制御を解除するため、通信規制テーブル３２２の終了時刻２３０６を含んでいるレコード(端末ＩＤ２３００、電話番号２３０１、メールアドレス２３０２、メールモード２３０３、電話モード２３０４、開始時刻２３０５、終了時刻２３０６)を削除する処理を行う（ステップ３１３）。
【００４７】
図９は、制御設定テーブル作成処理２１１の処理動作を示す。
この処理は、所持者がシアターの出入り口を通過した後に行われる。制御設定テーブル作成処理２１１は、施設サーバＡ１０１がノードＡ１２０から受け取った送信識別情報１９００を使用し、制御設定テーブル２２２へ追加する処理である。
（１）施設サーバＡ１０１はノードＡ１２０から送信識別情報１９００を通信部２０２から受信する（ステップ９０１）。この受信により以下の処理に移行する。
（２）施設サーバＡ１０１のＣＰＵ２１０は、送信識別情報１９００のノードＩＤ１９０２の値と制御設定テーブル２２２のノードＩＤ２０１０を比較し、一致するＩＤを探す（ステップ９０２）。
【００４８】
（３）ＣＰＵ２０１は、一致したＩＤにおける制御設定テーブル２２２の制御端末情報２００６に端末ＩＤ２０１１とキャリア情報２０１２を追加し、送信フラグ２００７を「ＯＦＦ」にする（ステップ９０３）。
（４）更にＣＰＵ２０１は、制御設定テーブル２２２に設定してある時間帯２００８を決定する。決定方法としては、例えば時間帯２００８の全ての終了時刻２００２を早い順番に並べ、１番早い時刻から現在の時刻を比較し、終了時刻２００２が現在の時刻より遅ければ、その終了時刻２００２がある時間帯２００８にする。
なお、この決定方法は現在の時刻と終了時刻２００２の比較で時間帯２００８を指定しているが、時間帯２００８の中の時間帯を１つ指定できれば良い（ステップ９０４）。本実施例では決定した時間帯を時間帯Ａ２００９とする。
【００４９】
（５）次に、ＣＰＵ２０１はステップ９０４で決定した時間帯Ａ２００９の開始時刻２００１と現在の時刻を比較する（ステップ９０５）。
（６）そして、ステップ９０５で、現在の時刻が開始時刻２００１より前ならば、制御設定テーブル作成処理２１１を終了する。
（７）一方、ステップ９０５で、現在の時刻が開始時刻２００１より後ならばキャリアサーバへの送信処理の指示を出す（ステップ９０６）。
【００５０】
図１０はキャリア別送信テーブル送信処理２１２の処理動作を示す。
この処理はステップ２１１と同様、シアターの出入り口を所持者が通過し終えた際に行われる。この処理は施設サーバＡ１０１が制御設定テーブル２２２を基に、キャリア別送信テーブル２２３を作成し、キャリアサーバ１０４へ送信する処理である。
【００５１】
（１）施設サーバＡ１０１のＣＰＵ２１０は、制御設定テーブル２２２の開始時刻２００１と現在の時刻が合致した時、または制御設定テーブル作成処理２１１のステップ９０６のキャリアへの送信指示を受信する処理である（ステップ１００１）。キャリア別送信テーブル送信処理２１２は開始時刻２００１になる、もしくは開始時刻２００１を過ぎた場合、以下の処理に移行する。よって施設サーバＡ１０１は、開始時刻２００１より以前に携帯電話Ａ１１０に対して通信制御が起きることはない。
【００５２】
（２）ＣＰＵ２１０は、制御設定テーブル２２２の制御端末情報２００６の送信フラグ２００７を参照し、送信フラグ２００７がＯＦＦである端末ＩＤ２０１１と、そのキャリア情報２０１２を抽出する（ステップ１００２）。送信フラグ２００７がＯＦＦである端末ＩＤ２０１１をキャリア別送信テーブル２２３としてキャリアサーバ１０４へ送信していないことを示している。
【００５３】
（３）更に、ＣＰＵ２０１は、抽出したキャリア情報２０１２を基準とし、キャリア別に振り分け、キャリア別送信テーブル２２３を作成する（ステップ１００３）。そして、キャリア別送信テーブル２２３の上映時間２１０２に、ステップ９０４で決定した制御設定テーブル２２２の時間帯Ａ２００９を格納する。更に、キャリア別送信テーブル２２３のモード設定２１１０に、制御設定テーブル２２３のモード設定２１１０を格納し、制御端末情報２１０４の端末ＩＤ２１０９に、制御設定テーブル２２２の制御端末情報２００６の端末ＩＤ２０１１を格納する。
【００５４】
（４）ＣＰＵ２０１は、キャリア別送信テーブル２２３の依頼メッセージ２１０３に「１」を代入し、この作成されたキャリア別送信テーブル２２３をキャリアサーバ１０４へ送信する。
依頼メッセージ２１０３は、キャリアサーバ１０４が受け取ったテーブルに対して通信規制テーブル作成処理３１１を指示するメッセージであり、キャリアサーバ１０４が携帯電話の通信を制御する処理へ移行する１つの手法である。なお、他の手段として例えば、キャリアサーバ１０４が携帯電話の通信の制御を開始する合図でもよい。
【００５５】
（５）そして、ＣＰＵ２０１は、制御設定テーブル２２２の送信フラグ２００７を参照し、ＯＦＦになっている部分をＯＮにする（ステップ１００５）。
（６）さらに、作成したキャリア別送信テーブル２２３を削除する（ステップ１００６）。
【００５６】
図１１は通信規制テーブル作成処理３１１の処理動作を示す。
この処理は所持者が上映開始時刻にシアター内にいる際、図５のパターンＡとＤの上映開始時刻５０１で行われる。通信規制テーブル作成処理３１１はキャリアサーバ１０４がキャリア別送信テーブル２２３を施設サーバＡ１０１から受信し、通信制御する携帯電話を登録する通信規制テーブル３２２に追加する処理である。
【００５７】
（１）キャリアサーバ１０４は、施設サーバＡ１０１から送信されたキャリア別送信テーブル２２３を通信部３０２から受信する（ステップ１１０１）。
（２）ＣＰＵ３０１は、キャリア別送信テーブル２２３の端末ＩＤ２１０９を端末情報テーブル３２１の端末ＩＤ２２０２へ格納し、端末ＩＤ２２０２から電話番号２２００とメールアドレス２２０１を通常行われる方法で検索する（ステップ１１０２）。
（３）そして、ＣＰＵ３０１は、電話番号２２００とメールアドレス２２０１を使用し、端末情報テーブル３２１を作成する（ステップ１１０３）。
（４）更にＣＰＵ３０１は、端末情報テーブル３２１の端末ＩＤ２２０２と電話番号２２００、メールアドレス２２０１、キャリア別送信テーブル２２３の開始時刻２１０５、終了時刻２１０６、メールモード２１０７、電話モード２１０８を通信規制テーブル３２２の1レコードとして追加する（ステップ１１０４）。
（５）最後に、端末情報テーブル３２１を削除する（ステップ１１０５）。
【００５８】
図１２は受信伝達処理３１２の処理動作を示す。
この処理は所持者がシアター内で映画を鑑賞中の状態で行われる。この処理はキャリアサーバ１０４が携帯電話Ｃ１１２から通話要求があった時に、通信規制テーブル３２２を参照し通信制御をするか判断し、通信を制御する場合には着信記録を取り、携帯電話Ｃ１１２に対し、ガイダンスを流す処理である。
【００５９】
（１）キャリアサーバ１０４は通話要求処理開始の指示を受信する（ステップ１２０１）。通話要求処理開始の指示には電話番号もしくはメールアドレスの情報が含まれる。
（２）ＣＰＵ３０１は、通信規制テーブル３２２の電話番号２３０１とメールアドレス２３０２を参照する（ステップ１２０２）。
（３）更に、ＣＰＵ３０１は、通話要求に対して、通信を制御する携帯電話かどうかを判断するため、通話要求の電話番号もしくはメールアドレスを通信規制テーブル３２２の電話番号２３０１もしくはメールアドレス２３０２から探す（ステップ１２０３）。
【００６０】
（４）ステップ１２０３で電話番号もしくはメールアドレスが見つからない場合、通信を制御する携帯電話ではないため、通常の発信処理をする（ステップ１２１２）。
（５）ステップ１２０３で電話番号もしくはメールアドレスが合致する場合、キャリアサーバ１０４は、通話要求が通話もしくはメールのどちらかを判断する（ステップ１２０４）。
（６）ステップ１２０４で通話要求の場合、キャリアサーバ１０４は、通話可能かを判断するため通信規制テーブル３２２の電話モード２３０４を参照する（ステップ１２０５）。
（７）更に、ＣＰＵ３０１は、ステップ１２０５で電話モードがＯＦＦの場合は通常の通話処理をする（ステップ１２１２）。
【００６１】
（８）ステップ１２０５で電話モードがＯＮの場合、通話要求をした携帯電話Ｃ１１２に対して通信規制テーブル３２２のメールモード２３０３と電話モード２３０４、終了時刻２３０６を付加した音声応答を行う。例えば音声で「お客様のおかけになった電話番号は現在電話モードをＯＦＦ、メールモードをＯＮに設定され、通信制御がかけられており、通信制御解除予定は１２時です。」と携帯電話Ｃ１１２にガイダンスを流す。なお、音声ガイダンスでなくても、メールモード２３０３と電話モード２３０４と終了時刻２３０６の情報を付加した連絡を送信するようにしても良い。
【００６２】
（９）キャリアサーバ１０４は、携帯電話Ｃ１１２へガイダンスを流した後、ＣＰＵ３０１は着信記録テーブル３２３に着信電話番号２４００と着信時刻２４０２に着信のあった電話番号と時刻を記録する（ステップ１２０７）。
（１０）ステップ１２０４で通話要求が通話ではない場合、つまりメールの時はメールモード２３０３を参照する（ステップ１２０８）。
（１１）また、ステップ１２０８でメールモード２３０３がＯＦＦの場合、通常のメール処理をする（ステップ１２０９）。
【００６３】
（１２）また、ステップ１２０８でメールモード２３０３がＯＮの場合、キャリアサーバ１０４は、メールモード２３０３と電話モード２３０４、終了時刻２３０６を付加した返信をする。例えば「お客様が送信したメールアドレスには現在電話モードがＯＦＦ、メールモードがＯＦＦの通信制御がかけられており、通信制御解除予定は１２時です。」と携帯電話Ｃ１１２メールを返信する（ステップ１２１０）。
（１３）ステップ１２１０の後、キャリアサーバ１０４は受け取ったメールをメールセンターへ送信し、格納する。（ステップ１２１１）。
【００６４】
図１３は端末制御解除処理３１３の処理動作を示す。
この処理は所持者が映画を見終えた際に行われる。端末制御解除処理３１３はキャリアサーバ１０４が通信規制テーブル３２２の終了時刻２３０６と現在の時刻を比較し、現在の時刻が終了時刻２３０６を過ぎている場合には通信制御を解除する。そのため、通信制御を終了する通信規制テーブル３２２のレコードを削除する処理を行う。
【００６５】
（１）キャリアサーバ１０４のＣＰＵ３０１は、解除処理を行う起動指示イベントにより端末制御解除処理３１３を開始する。起動指示イベントは例えば、タイマーを１分おきに発生させる。タイマーの時間間隔は任意で変更してもよい（ステップ１３０１）。
（２）ＣＰＵ３０１は、現在の時刻を取得する（ステップ１３０２）。
（３）そして、ＣＰＵ３０１は、通信制御を終了するの時刻が経過している携帯電話を探すため、通信規制テーブル３２２の先頭レコードの検索をする（ステップ１３０３）。
【００６６】
（４）携帯電話の通信を制御する時刻を経過しているか判断するため、ＣＰＵ３０１は、終了時刻２３０６と現在の時刻を比較する（ステップ１３０４）。もし、終了時刻２３０６が経過していない場合は後述するステップ１３０８へ移行する。
（５）ステップ１３０４で終了時刻２３０６が経過している時、ＣＰＵ３０１は該当する終了時刻２３０６と同じレコード内にある電話番号２３０１を使用して、着信記録テーブル３２３と合致する発信電話番号２４０１を探し、携帯電話Ａ１１０へ通知する（ステップ１３０５）。
【００６７】
（６）そして、ＣＰＵ３０１は、ステップ１３０５で使用した着信記録テーブル３２３の発信電話番号２４０１とステップ１３０５で探した電話番号と合致している着信電話番号２４００と発信電話番号２４０１と着信時刻２４０２と着信情報２４０３を削除する（ステップ１３０６）。
（７）更に、ＣＰＵ３０１は、ステップ１３０４で終了判断をした時の通信規制テーブル３２２の該当レコード部分を削除する（ステップ１３０７）。
（８）次のレコードを検索するために、ＣＰＵ３０１は最後のレコードかどうかの判断をする（ステップ１３０８）。その結果、最後のレコードの場合は終了する。
（９）一方、ステップ１３０８で最後のレコードでない場合、次のレコードを検索する（ステップ１３０９）。
【００６８】
図１４は退場処理６０３の処理動作を示す。
この処理は所持者がシアター内から退場する際に必ず実行される。この処理は途中退場時のみ、キャリアサーバ１０４へ通信制御を解除するため、途中退場端末解除テーブル３２４を送信する。
【００６９】
（１）施設サーバＡ１０１のＣＰＵ２１０は、携帯電話Ａ１１０が退場時の時刻が、上映前か、上映中か、上映後かの判断をする。その結果、上映中の時間であれば、キャリアサーバ１０４へ途中退場端末解除テーブル３２４を送信する（ステップ２１３）。
（２）施設サーバＡ１０１のＣＰＵ２０１は、キャリアサーバ１０４へ途中退場端末解除テーブル３２４を送信したかを判断する（ステップ１４０１）。送信しなければ、処理を終了する。
（３）キャリアサーバ１０４は、施設サーバＡ１０４から送信された途中退場端末解除テーブル３２４を受け取ると、通信制御を解除する（ステップ３１４）。
【００７０】
図１５は制御端末情報削除処理２１３の処理動作を示す。
この処理はステップ６０３と同様、所持者が上映中にシアターから退場する際に行われる(図５のパターンＣ、Ｄ、Ｅの場合)。制御端末情報削除処理２１３は携帯電話Ａ１１０が退場した時の時刻を、上映前、上映中、上映後のいずれかを判断し、上映中の時のみキャリアサーバへ途中退場端末解除テーブル３２４を送信する処理である。
【００７１】
（１）施設サーバＡ１０１のＣＰＵ２０１は現在の時刻を取得する（ステップ１５０１）。
（２）ＣＰＵ２０１は現在の時刻と制御設定テーブル２２２の検知した時間帯Ａ２００９の開始時刻２００１を比較する。その結果、現在の時刻が開始時刻２００１の前ならば上映開始前となるため、後述するステップ１５０５に移行する（ステップ１５０２）。
（３）ＣＰＵ２０１は現在の時刻と制御設定テーブル２２２の検知した時間帯Ａ２００９の終了時刻２００２を比較する。その結果、現在の時刻が終了時刻２００２の後ならば上映終了後となるため、後述するステップ１５０５に移行する（ステップ１５０３）。
【００７２】
（４）ＣＰＵ２０１は、途中退場端末解除テーブル３２４を作成し、端末ＩＤ２０１１とキャリア情報２０１２を途中退場端末解除テーブル３２４の端末ＩＤ２５０２とキャリア情報２５０１に格納する。そして、キャリアサーバ１０４へ依頼メッセージを「０」に設定し、キャリアサーバ１０４に送信する（ステップ１５０４）。
（５）ＣＰＵ２０１は、受信した端末ＩＤと制御端末テーブル２２２の制御端末情報２００６の端末ＩＤ２０１１が一致しているレコードを消去する（ステップ１５０５）。
【００７３】
図１６は途中退場端末解除処理３１４の処理動作を示す。
この処理はステップ６０３と同様、所持者が上映中にシアターから退場する際に行われる。途中退場端末解除処理３１４は端末制御解除処理３１３と似ている。途中退場端末解除処理３１４はキャリアサーバ１０４が施設サーバＡ１０１から受け取った途中退場端末解除テーブル３２４を受け取った時に、通信制御を解除する処理である。
【００７４】
（１）キャリアサーバ１０４は、途中退場端末解除テーブル３２４を施設サーバＡ１０１から受信する（ステップ１６０１）。
（２）ＣＰＵ３０１は、途中退場端末解除テーブル３２４の端末ＩＤ２５０２から電話番号とメールアドレスを検索し、取得する（ステップ１６０２）。
（３）更にＣＰＵ３０１は、ステップ１６０２で検索した電話番号と同じ番号を着信記録テーブル３２３の発信電話番号２４０１から検索し、キャリアサーバ１０４が記録している着信電話番号２４００と着信時刻２４０２を携帯電話Ａ１１０にメールで送信する（ステップ１６０３）。
（４）また、ＣＰＵ３０１は、着信記録テーブル３２３から該当していたレコードを消去する（ステップ１６０４）。
（５）また、ＣＰＵ３０１は、通信規制テーブル３２２から該当しているレコードを消去する（ステップ１６０５）。
（６）最後に、途中退場端末解除テーブルを削除する（ステップ１６０６）。
【００７５】
[実施例２]
実施例２は、キャリアサーバ１０４にある通信制御設定テーブル３２２の終了時刻２００２を変更する例である。
上記実施例１においては、携帯電話の通信を制御する時間が予め設定しているため、終了時刻２００２を変更することができない。例えば、実施例１で上映時間を延長したい場合、キャリアサーバは携帯電話の通信を制御する時間を延長することができない。この点に着目して、実施例２は、携帯電話の通信を制御する時間を延長するためには、キャリアサーバ１０４にある通信制御設定テーブル３２２の終了時刻２００２を変更するものである。
【００７６】
実施例２が実施例１と異なる箇所は、入場処理６０２の制御設定テーブル２１１とキャリア別送信テーブル２１２と通信規制テーブル３１１である。
（１）上映時間が延長すると判明した時点で、施設サーバＡ１０１は、保存してある制御設定テーブル２１１の終了時刻２００２を変更する。
（２）施設サーバＡ１０１は、終了時刻２００２と制御端末情報２００６の端末ＩＤ２０１１を、キャリア情報２０１２を用いてキャリアサーバ１０４へ送信する。
【００７７】
（３）キャリアサーバ１０４は、終了時刻２００２と端末ＩＤ２０１１を受信した際、通信制御テーブル３２２の端末ＩＤ２３００と受信した端末ＩＤ２０１１が合致したレコードの終了時刻２３０６の値を受信した終了時刻２００２の値に書き換える。
（４）終了時刻２３０６を書き換えた後、受信伝達処理９１２に処理が移行し、その後端末制御解除処理９１３に移行する。
上記の処理を行うことにより、携帯電話の通信を制御する時間を延長することが可能となる。
【００７８】
以上、本発明の一実施例について説明したが、本発明は上記実施例に限定されずに、種々変形して実施し得る。例えば、特定場所として映画館における携帯電話の通信制御について説明したが、本発明は映画館に限らず、携帯電話の通信の規制をしたい種々の場所に適用できる。
他の変形例として、上記実施例では携帯電話の端末識別情報をＦＩＲＤタグに限らず、他の手段でもよい。例えば、特定場所への入場を、携帯電話に取得された電子チケットを特別の端末に受信させることにより行う場合、その電子チケットに端末識別情報を含むＱＲコードを記録させ、そのＱＲコードを所定の読み取り装置で読み取らせることで、ＲＦＩＤタグと同様の機能を実現することができる。
【００７９】
付記：
特許請求の範囲には、好ましい主な実施態様を記載したが、更に実施態様について記せば、以下にあげることができる。
（１）前記施設サーバは、携帯電話の該通信制御情報を前記キャリアサーバへ送信済みか否かを送信フラグを用いて管理することを特徴とする携帯電話通信制御システム又は管理サーバである。
（２）前記施設サーバは、該特定場所に設定された該時間帯の開始時刻までに、携帯電話の該端末識別情報を取得して記憶装置に蓄積しておき、該開始時刻を経過した場合、携帯電話ごとに該通信制御情報を作成して、関連するキャリアサーバへ送信することを特徴とする携帯電話通信制御システム又は管理サーバである。
【００８０】
（３）設定された該時間帯に該携帯電話に対してメール又は通話の着信があった場合、前記キャリアサーバは、設定された前記モード又は前記時間帯に関する情報を付加して、該携帯電話に対して発信してきた相手方の電話へ応答することを特徴とする携帯電話通信制御システム又は管理サーバである。
（４）現在時刻が、前記終了時刻になった時、該携帯電話の該通信制御情報を受信した前記キャリアサーバは、該携帯電話に対する通信を規制する制御を解除することを特徴とする請求項３の携帯電話通信制御システム又は管理サーバである。
【００８１】
（５）前記施設サーバは、該ノードから携帯電話の該端末識別情報を受信した時、受信した該端末識別情報と該施設サーバが既に保持している端末識別情報とを照合し、その結果合致した場合、該携帯端末の所持者は退場したと判断し、かつ、
前記施設サーバは、現在の時刻と前記時間帯に関する開始時刻とを照合して、該所持者が事前退場か又は途中退場もしくは事後退場かを判断し、途中退場の場合に、該施設サーバは、途中退場をした所持者の該携帯電話の規制を解除するために、該携帯電話の該端末識別情報を含む通信制御情報を前記キャリアサーバへ送信し、該キャリアサーバは、受信した該端末識別情報から該携帯電話の通信規制を解除することを特徴とする携帯電話通信制御システム又は管理サーバである。
【００８２】
（６）前記キャリアサーバは、通信の規制をしている携帯電話に対する着信があった場合、通信を規制している携帯電話ごとに該着信記録に保存しておき、通信の規制を解除した後に該携帯電話に対して保存しておいた該着信記録を送信すること特徴とする携帯電話通信制御システム又は管理サーバである。
（７）前記施設サーバは、前記時間帯の開始時刻又は終了時刻を変更し、該変更した時間帯の該条件情報を含む該通信制御情報を前記キャリアサーバへ送信し、
前記キャリアサーバは、変更された該時間帯に応じて、通信規制の制御をする時間帯を変更することを特徴とする携帯電話通信制御システム又は管理サーバである。
【図面の簡単な説明】
【００８３】
【図１】本発明の一実施例による携帯電話通信制御システムの構成を示す図。
【図２】施設サーバのハードウェア構成図。
【図３】キャリアサーバのハードウェア構成図。
【図４】ノードのハードウェア構成図。
【図５】施設Ａのシアターへの入退場パターンの説明に供する図。
【図６】携帯電話の通信制御の基本的な処理手順の概要を示すフローチャート。
【図７】携帯電話の検知処理の説明に供するフローチャート。
【図８】シアターの入場処理の説明に供するフローチャート。
【図９】制御設定テーブル作成処理の説明に供するフローチャート。
【図１０】キャリア別送信テーブル送信処理の説明に供するフローチャート。
【図１１】通信規制テーブル作成処理の説明に供するフローチャート。
【図１２】受信伝達処理の説明に供するフローチャート。
【図１３】端末制御解除処理の説明に供するフローチャート。
【図１４】退場処理の説明に供するフローチャート。
【図１５】制御端末情報削除処理の説明に供するフローチャート。
【図１６】途中退場端末解除処理の説明に供するフローチャート。
【図１７】携帯電話が有する端末識別情報のデータ構成例を示す図。
【図１８】ノードのノード識別情報のデータ構成例を示す図。
【図１９】ノードから施設サーバへ送信される送信識別情報のデータ構成例を示す図。
【図２０】制御設定テーブル２２２の構成例を示す図。
【図２１】キャリア別送信テーブル２２３の構成例を示す図。
【図２２】端末情報テーブル３２１の構成例を示す図。
【図２３】通信規制テーブル３２２の構成例を示す図。
【図２４】着信記録テーブル３２３の構成例を示す図。
【図２５】途中退場端末解除テーブル３２４の構成例を示す図。
【符号の説明】
【００８４】
１０１：施設サーバＡ、  １０２：施設サーバＢ  、１０４：キャリアサーバ、
１１０：携帯電話Ａ、  １１１：携帯電話Ｂ、  １１２：携帯電話Ｃ、  １２０：ノードＡ、  １２１：ノードＢ、  １２２：ノードＣ、  １３０：基地局Ａ、  １３１：基地局Ｂ、  １４０：ネットワーク、  １５０：施設Ａ、  １５１：施設Ｂ。
【図１】
2008277917.tif 000003
【図２】
2008277917.tif 000004
【図３】
2008277917.tif 000005
【図４】
2008277917.tif 000006
【図５】
2008277917.tif 000007
【図６】
2008277917.tif 000008
【図７】
2008277917.tif 000009
【図８】
2008277917.tif 000010
【図９】
2008277917.tif 000011
【図１０】
2008277917.tif 000012
【図１１】
2008277917.tif 000013
【図１２】
2008277917.tif 000014
【図１３】
2008277917.tif 000015
【図１４】
2008277917.tif 000016
【図１５】
2008277917.tif 000017
【図１６】
2008277917.tif 000018
【図１７】
2008277917.tif 000019
【図１８】
2008277917.tif 000020
【図１９】
2008277917.tif 000021
【図２０】
2008277917.tif 000022
【図２１】
2008277917.tif 000023
【図２２】
2008277917.tif 000024
【図２３】
2008277917.tif 000025
【図２４】
2008277917.tif 000026
【図２５】
2008277917.tif 000027